(57)【特許請求の範囲】
【請求項１】
電気機器の一側パネル部が備える差込口の内奥に形成された被差込側接続部と、前記差込口を介しての前記被差込側接続部との電気的な接離を自在に形成された差込側接続部をその一端側に有してなる接続コードとからなり、  前記差込口には、常に内側から閉方向に付勢されて該差込口の内側開口縁の側とその全閉時に当接する下縁側よりやや上方に位置する表側横幅方向に外方に向かって突出させた突起部を備え、かつ、前記差込側接続部が差し込まれた際に当接・従動してその進入を許す蓋板部と、該蓋板部に対し軸支部を介することでシーソー状となった配置関係で前記一側パネル部から表出するように延設された操作用板部とからなる揺動板体が配設され、
該揺動板体における前記蓋板部は、前記差込側接続部が差し込まれて前記被差込側接続部に電気的に接続された際、前記一側パネル側との間に余裕空間を残して前記差込側接続部が備える掛止溝に前記突起部が自動掛合され、前記操作用板部は、前記余裕空間を可動域として押し下げた際に前記差込側接続部の前記係止溝と前記蓋板部の前記突起部との間の掛合状態の解除を自在にして配設したことを特徴とする電気機器と接続コードとの接続構造。
【請求項２】
前記被差込側接続部は、前記差込口方向に向けて突設された端子ピンであり、前記差込側接続部は、導入開口部を介して前記端子ピンに差し込んで電気的に接続されるソケットであることを特徴とする請求項１に記載の電気機器と接続コードとの接続構造。
【請求項３】
前記被差込側接続部は、前記差込口方向にその導入開口部を対面させて配設されたソケットであり、前記差込側接続部は、前記導入開口部側から差し込んで電気的に接続される端子ピンであることを特徴とする請求項１に記載の電気機器と接続コードとの接続構造。
【発明の詳細な説明】
【０００１】
【発明の属する技術分野】
本発明は、ワンタッチでロック操作とその解除操作とが簡単にできる電気機器と接続コードとの接続構造に関する技術である。
【０００２】
【従来の技術】
電気機器と接続コードとの接続構造としては、簡単に引き離すことができるロックなしのものと、ロック状態を解除しなければ容易には引き離すことができないロック付きのものとが従来より提案されてきている。
【０００３】
図７は、従来からあるロックなしの電気機器と接続コードとの接続構造の一例を示す説明図であり、そのうち（ａ）は接続前の状態を、（ｂ）は接続後の状態をそれぞれ示す。
【０００４】
同図によれば、電気機器１の一側パネル部１ａには、差込口２の内奥に該差込口２方向に向けて端子ピン３が突設されており、該端子ピン３に対しては、接続コード４の一端４ａ側に設けられたソケット５を差込口２の側から単に差し込むことにより電気的に接続できるようになっている。
【０００５】
しかし、図７に示す接続構造による場合には、接続コード４の側に引き抜き方向の力が作用した際にその接続状態が簡単に解除されてしまうという問題があった。
【０００６】
このため、簡単には接続状態を解除できないように、例えば図８に示すようにロック付きの電気機器と接続コードとの接続構造も既に提案されている。なお、同図における（ａ）は接続前の状態を、（ｂ）は接続後の状態をそれぞれ示す。
【０００７】
この場合、電気機器６の一側パネル部６ａには、その差込口７の内奥に該差込口７方向に向けて端子ピン８が突設されているほか、差込口７の外周縁側に一対の掛止片６ｂ，６ｂが配設されている。
【０００８】
また、接続コード９の一端９ａ側に設けられたソケット１０側には、端子ピン８にソケット１０を差し込んだ際に各掛止片６ｂを手動操作して掛止させる際に必要な段差部１０ａが設けられており、これら相互を掛合させることによりロックできるようになっている。
【０００９】
【発明が解決しようとする課題】
しかし、図８に示すロック付きの接続構造によれば、各掛止片６ｂと段差部１０ａとの掛合やその解除は、個々の掛止片６ｂを手動操作して個別に行う必要があるばかりでなく、場合によっては両手を使用しなければならなくなるなど、ロック操作とその解除操作が煩雑となって作業性に劣るという問題があった。
【００１０】
本発明は、従来技術の上記課題に鑑み、ワンタッチでロック操作とその解除操作とが簡単にできる電気機器と接続コードとの接続構造を提供することを目的とする。
【００１１】
【課題を解決するための手段】
本発明は、上記目的を達成するためになされたものであり、電気機器の一側パネル部が備える差込口の内奥に形成された被差込側接続部と、前記差込口を介しての前記被差込側接続部との電気的な接離を自在に形成された差込側接続部をその一端側に有してなる接続コードとからなり、前記差込口には、常に内側から閉方向に付勢されて該差込口の内側開口縁の側とその全閉時に当接する下縁側よりやや上方に位置する表側横幅方向に外方に向かって突出させた突起部を備え、かつ、前記差込側接続部が差し込まれた際に当接・従動してその進入を許す蓋板部と、該蓋板部に対し軸支部を介することでシーソー状となった配置関係で前記一側パネル部から表出するように延設された操作用板部とからなる揺動板体が配設され、該揺動板体における前記蓋板部は、前記差込側接続部が差し込まれて前記被差込側接続部に電気的に接続された際、前記一側パネル側との間に余裕空間を残して前記差込側接続部が備える掛止溝に前記突起部が自動掛合され、前記操作用板部は、前記余裕空間を可動域として押し下げた際に前記差込側接続部の前記係止溝と前記蓋板部の前記突起部との間の掛合状態の解除を自在にして配設したことに特徴がある。
【００１２】
この場合、前記被差込側接続部は、前記差込口方向に向けて突設された端子ピンにより形成し、前記差込側接続部は、導入開口部を介して前記端子ピンに差し込んで電気的に接続されるソケットにより形成することができる。また、前記被差込側接続部は、前記差込口方向にその導入開口部を対面させて配設されたソケットで形成し、前記差込側接続部は、前記導入開口部側から差し込んで電気的に接続される端子ピンで形成することもできる。
【００１３】
【発明の実施の形態】
図１は、本発明の一例を示す要部断面図であり、例えば測定器のように適宜の機能が付与されてなる電気機器１１であって、その一側パネル部１２が備える差込口１３の内奥に設けられた被差込側接続部１５と、差込口１３を介しての被差込側接続部１５との電気的な接離を自在に形成された差込側接続部３３をその一端３２側に有してなる接続コード３１とで構成されている。
【００１４】
図１は、被差込側接続部１５を被給電側とし、差込側接続部３３を給電側とした場合について例示するものであり、被差込側接続部１５は、差込口１３方向に向けて内奥側から突設され、かつ、プリント配線板などからなる電気回路板１７の適宜の電気回路側にその基端部１６ａ側が接続された端子ピン１６により形成されている。
【００１５】
また、差込側接続部３３は、その先端面３５に設けられた開口部３６を介して導入される端子ピン１６と電気的に接続される接触部３７を内部に備えたソケット３４により形成されている。
【００１６】
なお、被差込側接続部１５を給電側とし、差込側接続部３３を被給電側とする場合には、図示は省略してあるが図１に示す例とは逆に、被差込側接続部１５を差込口１３方向にその開口部を対面させて配設されるソケットで形成し、差込側接続部を上記ソケットに差し込んで電気的に接続される端子ピンで形成することもできる。
【００１７】
図２は、差込口１３を形成するために一側パネル部１２の側に嵌着されるパネルカバー２１の一例を示す正面図であり、その略中央部には、差込口１３として利用される略凸形状を呈する切欠部２２が設けられている。
【００１８】
図３は、パネルカバー２１の切欠部２２と対面する配置関係でパネルカバー２１に取り付けられる揺動板体２３の一例を示す正面図であり、下側に位置する蓋板部２４とその上側に位置する操作用板部２７との全体で、切欠部２２と略同様に凸形状を呈して形成されている。
【００１９】
また、揺動板体２３には、パネルカバー２１に対し支軸２９を介してシーソー状となった揺動を自在に支持させるため、操作用板部２７との境界側に位置する蓋板部２４の横幅方向に軸支部２８が配設されている。さらに、揺動板体２３には、蓋板部２４の下縁２４ａの内側横幅方向にその全閉時に差込口１３の内側開口縁１４の側と当接する薄肉部２５が設けられているほか、該薄肉部２５よりやや上方に位置する表側横幅方向に外方に向かって突出させた突起部２６が設けられている。
【００２０】
この場合、揺動板体２３は、差込口１３における下側開口部１３ａの内側に蓋板部２４が当接してこれを覆い、差込口１３における上側開口部１３ｂを介して操作用板部２７が前傾できる配置関係のもとでパネルカバー２１の側に軸支されている。
【００２１】
しかも、揺動板体２３は、介在させたねじりコイルばね３０により蓋板部２４がその内側から閉方向へと常に付勢されているので、不使用時には差込口１３における下側開口部１３ａの内側開口縁１４の側と当接してこれを閉止した状態におかれている。
【００２２】
また、揺動板体２３における蓋板部２４は、差込側接続部３３であるソケット３４が差込口１３から差し込まれる際に当接して従動し、その進入を許す結果、操作用板部２７の側も逆方向へと容易に移動して前傾できるように上側開口部１３ｂから表出させた状態のもとで配置されている。
【００２３】
さらに、揺動板体２３における蓋板部２４は、差込側接続部３３としてのソケット３４が被差込側接続部１５としての端子ピン１６に差し込まれて電気的に接続された際に、ソケット３４との自動掛合が自在に形成されている。
【００２４】
すなわち、ソケット３４は、図４に示すように少なくとも一側表面の前端側の所定位置に一条の掛止溝３８が横幅方向に刻設されており、差込終了時に蓋板部２４が水平方向に押し上げられたときにその突起部２６と掛合できる配置関係のもとで形成されている。なお、掛止溝３８は、ソケット３４の両側表面に各一条ずつ刻設しておくこともできる。また、ソケット３４の全体形状については、差込口１３における下側開口部１３ａから送り込んで端子ピン１６に差し込むことができるものであればよい。さらに、ソケット３４の表面には、その差込み終了時にパネルカバー２１の切欠縁２２ａと当接する段部３９を設けておくのが望ましい。
【００２５】
また、揺動板体２３における操作用板部２７は、ソケット３４と蓋板部２４との間の掛合状態の解除を自在にして配設されている。具体的には、差込終了時点で操作用板部２７が軸支部２８を介して水平方向に押し上げられる結果、蓋板部２４の側も水平となって外方に突出することになる。しかも、揺動板体２３は、上記したように水平状態となった際に操作用板部２７を押し下げて蓋板部２４を引き上げることができるように、一側パネル部１２と蓋板部２４との間にあらかじめ余裕空間１８を設けて配設されている。
【００２６】
次に、上記構成からなる本発明の作用を説明すれば、図１に示す配置関係のもとで、差込側接続部３３としてのソケット３４を揺動板体２３における蓋板部２４の側に押し当てる。このとき、揺動板体２３は、ねじりコイルばね３０を介してその内側から閉方向へと常に付勢されているので、差込口１３における下側開口部１３ａの内側開口縁１４の側とその薄肉部２５を介して当接して接しこれを閉止している。
【００２７】
ソケット３４を蓋板部２４に押し当てると、揺動板体２３は、図５（ａ）に示すように軸支部２８を中心にシーソー状に揺動して蓋板部２４がソケット３４の送り方向へと従動する。
【００２８】
ソケット３４は、その開口部３６を介して被差込側接続部１５としての端子ピン１６に差し込まれ、接触部３７との間の電気的な接続状態を確保しながらやがて奥端側にまで到達し、図５（ｂ）に示す配置関係のもとでその動きを停止する。
【００２９】
このとき、揺動板体２３は、ねじりコイルばね３０の付勢力に抗して蓋板部２４の側が内奥側に、操作用板部２７の側が逆方向側に向かってそれぞれが水平となって移動する結果、蓋板部２４の突起部２６とソケット３４の掛止溝３８とが相互に自動掛合する。このため、仮に接続コード３１の側に引き抜き方向の力が作用したとしても、電気機器１１との間の電気的な接続状態が解除されるおそれはなく、該電気機器１１の機能に応じた使用を安定的に行うことができる。しかも、自動掛合時には、ねじりコイルばね３０の付勢力により「カチッ」と掛合音が鳴るので、ソケット３４が端子ピン１６に差し込まれたことを聴覚的にも確認することができる。
【００３０】
一方、電気機器１１の機能に応じた使用を終了する際には、揺動板体２３が水平状態となった際に一側パネル部１２と蓋板部２４との間に余裕空間１８が確保されているので、該余裕空間１８を可動域として操作用板部２７の側を単に押し下げることにより、図６（ａ）に示すように蓋板部２４の突起部２６をソケット３４の掛止溝３８から引き離して、相互間の掛合状態をワンタッチで簡単に解除することができる。
【００３１】
このようにしてソケット３４と蓋板部２４との間の掛合状態を解除した後は、図６（ｂ）に示すように操作用板部２７の側を押し下げた状態で、ソケット３４における被差込側接続部１５側からの突出部位を把持して引き抜くことにより、電気機器１１と接続コード３１との間の電気的な接続関係を簡単に解消することができる。
【００３２】
しかも、被差込側接続部１５の差込口１３は、操作用板部２７に対する押圧力を解除することにより、揺動板体２３における蓋板部２４により自動閉止されて安全性の確保を図ることができる。
【００３３】
【発明の効果】
以上述べたように本発明によれば、差込側接続部は、これを蓋板部に押し当てることにより蓋板部を従動させながら被差込側接続部の側に差し込んで電気的な接続状態を得ることができる。また、このとき、蓋板部が備える突起部は、差込側接続部の掛止溝と自動掛合してロックがかかった状態となるので、仮に接続コードの側に引き抜き方向の力が作用したとしても、電気機器との間の電気的な接続状態が解除されるおそれはなく、該電気機器の機能に応じた使用を安定的に行うことができる。
【００３４】
また、電気機器の機能に応じた使用を終了する際には、一側パネル部との間に確保される余裕空間を可動域として操作用板部の側を単に押し下げることにより、蓋板部の突起部と差込側接続部の掛止溝との間の掛合状態をワンタッチで簡単に解除することができる。
【００３５】
したがって、本発明によれば、電気機器と接続コードとの接続状態のロック操作とその解除操作とを簡単に行うことができ、作業性の向上を実現することができる。また、被差込側接続部の差込口は、その不使用時に揺動板体における蓋板部により常に自動閉止されているので、安全性の確保をより確実なものとすることができる。
【図面の簡単な説明】
【図１】本発明の一例を示す要部断面図。
【図２】本発明におけるパネルカバーの一例を示す正面図。
【図３】本発明における揺動板体の一例を示す正面図。
【図４】本発明におけるソケットの一例を示す平面図。
【図５】本発明における被差込側接続部に差込側接続部を差し込む際の状態を例示する要部断面図であり、そのうち（ａ）は差込開始時の状態を、（ｂ）は差込完了後の状態をそれぞれ示す。
【図６】本発明における被差込側接続部から差込側接続部の引き抜く際の状態を例示する要部断面図であり、そのうち（ａ）は引抜き開始時の状態を、（ｂ）は引抜き途中の状態をそれぞれ示す。
【図７】従来からあるロックなしの電気機器と接続コードとの接続構造の一例を示す説明図であり、そのうち（ａ）は接続前の状態を、（ｂ）は接続後の状態をそれぞれ示す。
【図８】従来からあるロック付きの電気機器と接続コードとの接続構造の一例を示す説明図であり、そのうち（ａ）は接続前の状態を、（ｂ）は接続後の状態をそれぞれ示す。
【符号の説明】
１，６ 電気機器
１ａ，６ａ 一側パネル部
６ｂ 掛止片
２，７ 差込口
３，８ 端子ピン
４，９ 接続コード
４ａ，９ａ 一端
５，１０ ソケット
１０ａ 段差部
１１ 電気機器
１２ 一側パネル部
１３ 差込口
１３ａ 下側開口部
１３ｂ 上側開口部
１４ 内側開口縁
１５ 被差込側接続部
１６ 端子ピン
１６ａ 基端部
１７ 電気回路板
１８ 余裕空間部
２１ パネルカバー
２２ 切欠部
２２ａ 切欠縁
２３ 揺動板体
２４ 蓋板部
２４ａ 下縁
２５ 薄肉部
２６ 突起部
２７ 操作用板部
２８ 軸支部
２９ 支軸
３０ ねじりコイルばね
３１ 接続コード
３２ 一端
３３ 差込側接続部
３４ ソケット
３５ 先端面
３６ 開口部
３７ 接触部
３８ 掛止溝
３９ 段部
【図１】
0004588206.tif 000002
【図２】
0004588206.tif 000003
【図３】
0004588206.tif 000004
【図４】
0004588206.tif 000005
【図５】
0004588206.tif 000006
【図６】
0004588206.tif 000007
【図７】
0004588206.tif 000008
【図８】
0004588206.tif 000009